(57)【特許請求の範囲】
【請求項１】
側面全周を空気吸込口（６）としたケーシング（１）と、該ケーシング（１）内の最上部に配設された上吹きタイプのファン（２）と、前記空気吸込口（６）に対向して配設された側面側熱交換器（３）とを備えた空気調和機用室外機であって、前記側面側熱交換器（３）によって囲まれた空間部（４）の底部には、屈曲部（５ａ）が上向きとなるように断面へ字状に屈曲された熱交換器により構成された底面側熱交換器（５）を配設するとともに、前記ケーシング（１）の側面下部には、前記底面側熱交換器（５）の下面に向かって空気を導入するための空気導入口（８），（８）・・を形成したことを特徴とする空気調和機用室外機。
【請求項２】
前記ケーシング（１）の下部には、圧縮機（１０）等を配設する機械室（９）を構成するとともに、該機械室（９）の上面を、前記側面側熱交換器（３）および底面側熱交換器（５）からのドレンを受け止めるドレンパン（１１）としたことを特徴とする前記請求項１記載の空気調和機用室外機。
【請求項３】
前記側面側熱交換器（３）を、２個以上に分割された熱交換器により構成したことを特徴とする前記請求項１および２のいずれか一項記載の空気調和機用室外機。
【発明の詳細な説明】
【０００１】
【発明の属する技術分野】
【０００２】
本願発明は、上吹き型の空気調和機用室外機に関するものである。
【従来の技術】
【０００３】
近年、エネルギー資源問題・地球温暖化問題を背景とし、エネルギー機器の効率向上が重要課題とされる中、空気調和機用室外機もその省エネ性を向上させることが急務とされている。空気調和機用室外機の場合、熱交換器の面積を増大させて熱交換能力を高めることが省エネ性向上に有効な手段となることが多い。
【０００４】
ところで、比較的大型の空気調和機用に使用されることが多い室外機としては、例えば、ケーシングの下部に機械室を、上部に熱交換室を、最上部に軸流型のファンを備えた上吹き型の空気調和機用室外機がある（特開２００１−２０１１１１号公報参照）。従来、この種の空気調和機用室外機の場合、熱交換器は、ケーシング外周の一部、あるいは外周全面に配置されているのが一般的であった。
【０００５】
具体例としては、（１）平板型の熱交換器をケーシングの前面と背面とに垂直に配設し、ケーシングの外周２面から空気を吸い込むタイプ、（２）平板型熱交換器をケーシングの前面と背面に配設し、一方を垂直に、他方を傾斜させて、ケーシングの外周２面から空気を吸い込むタイプ、（３）Ｌ字型熱交換器を２個組み合わせて配設し、ケーシング外周４面から吸い込むタイプが存在する。同一空間に確保できる熱交換器容量としては、ケーシング外周４面に熱交換器を配設した場合が最も大きく、上記例では（１）＜（２）＜（３）の順となる。
【発明が解決しようとする課題】
【０００６】
この種の上吹き型室外機において、省エネ性向上のため熱交換器のサイズアップを図る場合、熱交換器を高さ方向、あるいは幅方向に拡大すると、それに伴って、室外機の外形寸法まで大きくなるため、搬入や設置の際に問題が生じる可能性がある。また、熱交換器を高さ方向に拡大した場合、上吹き型室外機においては、ファンがケーシング最上部にあるため、熱交換器前面の通過風速分布が高さ方向で著しく不均一となり、熱交換器下部が有効に作用せず、結果として、熱交換器を拡大した割に、省エネ性が向上しないという問題もあった。
【０００７】
そこで、熱交換器の形状を変化させて、室外機の外形寸法を大きくすることなく、熱交換器容量を大きくする手法が提案されている。例えば、特開２００１−３０４７７４号公報においては、熱交換器をＭ字型に湾曲させることで有効長を増大させている。しかしながら、熱交換器をこのような複雑な形状に湾曲させることは、製造上困難を伴うことが多く、必ずしも有効な手段とはいえなかった。
【０００８】
本願発明は、上記の点に鑑みてなされたもので、室外機の外形寸法を拡大させることなく、熱交換器の容量アップを図り、コンパクト性と省エネ性向上との両立を実現し得るようにすることを目的とするものである。
【課題を解決するための手段】
【０００９】
請求項１の発明では、上記課題を解決するための手段として、側面全周を空気吸込口６としたケーシング１と、該ケーシング１内の最上部に配設された上吹きタイプのファン２と、前記空気吸込口６に対向して配設された側面側熱交換器３とを備えた空気調和機用室外機において、前記側面側熱交換器３によって囲まれた空間部４の底部に、屈曲部５ａが上向きとなるように断面へ字状に屈曲された熱交換器により構成された底面側熱交換器５を配設するとともに、前記ケーシング１の側面下部に、前記底面側熱交換器５の下面に向かって空気を導入するための空気導入口８，８・・を形成している。
【００１０】
上記のように構成したことにより、ファン２の駆動によりケーシング１の側面全周に形成された空気吸込口６およびケーシング１の側面下部に形成された空気導入口８，８・・から吸い込まれた空気が側面側熱交換器３および底面側熱交換器５を通過することとなり、熱交換能力が大幅に増大することとなる。つまり、底面側熱交換器５を追加配設したことにより、室外機の外形寸法を拡大させることなく、熱交換面積を増大させることができ、室外機のコンパクト性を保った上で室外機の省エネ性を向上させることが可能となるのである。しかも、底面側熱交換器５からの空気の流入により、側面側熱交換器３の上部（即ち、ファン２に近い領域）での通過風速が低減されることとなり、側面側熱交換器３を通過する空気の風速分布が均一化され、熱交換能力が高まり、室外機の省エネ性が向上することとなる。また、底面側熱交換器５を、屈曲部５ａが上向きとなるように断面へ字状に屈曲された熱交換器により構成しているので、底面側熱交換器５におけるドレン処理がスムーズに行え、ドレンの滞留に起因して生じる熱交換器の性能劣化を抑制できるとともに、底面側熱交換器５における屈曲部５ａを側面側熱交換器３に囲まれた空間部４の中央部に位置させることができ、室外機の高さ方向寸法を抑えることができるという効果もある。
【００１１】
請求項２の発明におけるように、請求項１記載の空気調和機用室外機において、前記ケーシング１の下部に、圧縮機１０等を配設する機械室９を構成するとともに、該機械室９の上面を、前記側面側熱交換器３および底面側熱交換器５からのドレンを受け止めるドレンパン１１とした場合、室外機の幅方向寸法を小さく抑えることができるとともに、機械室９の上面（即ち、仕切板９ａ）をドレンパン１１に兼用できることとなり、室外機のさらなるコンパクト性の確保と部品点数の低減とを図ることができる。
【００１２】
請求項３の発明におけるように、請求項１および２のいずれか一項記載の空気調和機用室外機において、前記側面側熱交換器３を、２個以上に分割された熱交換器により構成した場合、大型の室外機に適用する際に、２個以上に分割された小型の熱交換器で側面側熱交換器３を構成することができることとなり、熱交換器の製造が容易となる。
【発明の実施の形態】
【００１３】
以下、添付の図面を参照して、本願発明の幾つかの参考例および幾つかの好適な実施の形態について詳述する。
【００１４】
第１の参考例
図１および図２には、本願発明の第１の参考例にかかる空気調和機用室外機が示されている。
【００１５】
この空気調和機用室外機は、４側面全周を空気吸込口６，６，６，６とした横断面矩形形状のケーシング１と、該ケーシング１内の最上部に配設された２個の上吹きタイプのファン２，２と、該ファン２，２の下方に形成される熱交換室７において前記空気吸込口６，６，６，６に対向して配設された側面側熱交換器３と、該側面側熱交換器３によって囲まれた空間部４の底部に配設された底面側熱交換器５とを備えて構成されている。
【００１６】
前記ケーシング１の側面下部には、前記底面側熱交換器５の下面に向かって空気Ｗを導入するための空気導入口８，８・・が形成されている。
【００１７】
また、前記ケーシング１の下部には、圧縮機１０等を配設する機械室９が構成されており、該機械室９の上面（換言すれば、機械室９と熱交換室７とを仕切る仕切り板）は、前記側面側熱交換器３および底面側熱交換器５からのドレンを受け止めるドレンパン１１とされている。即ち、前記仕切り板９ａの中央部を窪ませてドレン溜め１１ａを形成しているのである。該ドレン溜め１１ａと前記底面側熱交換器５との間の隙間に対向するケーシング１の側面下部に位置して前記空気導入口８，８・・が形成されることとなっている。なお、図２に示すものの場合、前記ドレン溜め１１ａの底面は平坦面とされている。符号１２はドレン排出口である。
【００１８】
前記ファン２，２は、前記ケーシング１の天面に形成された空気吹出口１３に臨むようにしてケーシング１の上部に対して取付ステー１４，１４を介して取り付けられている。
【００１９】
前記側面側熱交換器３は、本実施の形態においては、ケーシング１における４面１ａ，１ｂ，１ｃ，１ｄに形成された４個の空気吸込口６，６，６，６のうちの２個ずつ（即ち、２面１ａ，１ｂに形成された空気吸込口６，６および２面１ｃ，１ｄに形成された空気吸込口６，６）にそれぞれ対向する一対の横断面Ｌ字形状の熱交換器３ａ，３ａにより構成されている。この熱交換器３ａは、例えば、上下方向のフィンを有するクロスフィンコイルタイプの熱交換器を横断面Ｌ字形状に屈曲させて製造されることとなっている。なお、熱交換器３ａは、クロスフィンコイルタイプ以外のものとすることもできる。また、側面側熱交換器３を、４枚の平板形状の熱交換器により構成することも可能である。
【００２０】
前記底面側熱交換器５は、クロスフィンコイルタイプの平板型熱交換器とされており、前記ケーシング１に対して支持ステー１５，１５・・により支持されている。なお、底面側熱交換器５は、クロスフィンコイルタイプ以外のものとすることもできる。
【００２１】
上記のように構成された空気調和機用室外機においては、次のような作用効果が得られる。
【００２２】
ファン２，２の駆動によりケーシング１の側面全周（即ち、４面）に形成された空気吸込口６，６，６，６およびケーシング１の側面下部に形成された空気導入口８，８・・から吸い込まれた空気Ｗが側面側熱交換器３および底面側熱交換器５を通過することとなり、熱交換能力が大幅に増大することとなる。つまり、底面側熱交換器５を追加配設したことにより、室外機の外形寸法を拡大させることなく、熱交換面積を増大させることができ、室外機のコンパクト性を保った上で室外機の省エネ性を向上させることが可能となるのである。しかも、底面側熱交換器５からの空気Ｗの流入により、側面側熱交換器３の上部（即ち、ファン２に近い領域）での通過風速が低減されることとなり、側面側熱交換器３を通過する空気Ｗの風速分布が均一化され、熱交換能力が高まり、室外機の省エネ性が向上することとなる。なお、複数の能力（即ち、馬力数）の室外機を同一のケーシングとする場合、底面側熱交換器５の有無により、能力を変化させることが容易となり（即ち、低能力機：底面側熱交換器なし、高能力機：底面側熱交換器有り）部品の共通化によるコストダウンを図ることができる。
【００２３】
また、熱交換室７と機械室９とが上下配置とされているので、室外機の高さ寸法は高くなるものの、室外機の幅方向寸法を小さく抑えることができる。
【００２４】
さらに、機械室９の上面（換言すれば、機械室９と熱交換室７とを仕切る仕切り板）をドレンパン１１に兼用できるようになっているので、室外機のさらなるコンパクト性の確保と部品点数の低減とを図ることができる。
【００２５】
さらにまた、側面側熱交換器３を一対の横断面Ｌ字形状の熱交換器３ａ，３ａで構成するようにしているので、大型の室外機に適用する場合であっても、比較的小さな形状の横断面Ｌ字形状の熱交換器３ａを製造することで対応できることとなり、熱交換器の製造が容易となる。
【００２６】
ところで、前記ドレンパン１１におけるドレンパン溜め１１ａの底面の形状は、図３に示すように、中央部が高く、両側が低い断面ヘ字形状としてもよく、図４に示すように、中央部が低く、両側が高い断面逆ヘ字形状としてもよい。このような形状とした場合、ドレンを特定の部位（即ち、図３の場合は両側端部、図４の場合は中央部）に集めて排出することが可能となるので、図２の平坦面とした場合に比べて、ドレンの処理が容易となる。
【００２７】
本参考例においては、２個のファンを使用しているが、１個のファンとすることもできる。
【００２８】
第１の実施の形態
図５および図６には、本願発明の第１の実施の形態にかかる空気調和機用室外機が示されている。
【００２９】
この場合、底面側熱交換器５は、例えば、断面ヘ字状に屈曲されたクロスフィンコイルタイプの熱交換器により構成されており、屈曲部５ａが上向きとなるように配置されている。この底面側熱交換器５におけるフィンは、ヘ字形状とされている。この場合、底面側熱交換器５において発生したドレンは、ヘ字形状のフィンに沿って速やかに両側端部まで流下することとなっているので、ドレンを受け止め易くするために、ドレンパン１１におけるドレンパン溜め１１ａの底面の形状は、中央部が高く、両側が低い断面ヘ字形状とされている。また、空気導入口８，８・・は、底面側熱交換器５の形状にできるだけ沿うように形成されている（即ち、屈曲部５ａに対応するものが高い位置となり、それ以外が低い位置となるように形成されている）。このようにすると、底面側熱交換器５におけるドレン処理がスムーズに行われることとなり、ドレンの滞留に起因して生じる熱交換器の性能劣化を抑制できる。また、底面側熱交換器５の屈曲部５ａが上向きとなるように配設しているので、底面側熱交換器５における屈曲部５ａを側面側熱交換器３に囲まれた空間部４の中央部に位置させることができることとなり、室外機の高さ方向寸法を抑えることができる。
【００３０】
また、ドレンパン１１におけるドレンパン溜め１１ａの底面の形状は、図２に示すように、平坦面としてもよいし、図４に示すように、中央部が低く、両側が高い断面逆ヘ字形状としてもよい。
【００３１】
なお、側面側熱交換器３を、４枚の平板形状の熱交換器により構成することも可能である。
【００３２】
また、底面側熱交換器５を、クロスフィンコイルタイプ以外のものとすることもできる。
【００３３】
本実施の形態においては、２個のファンを使用しているが、１個のファンとすることもできる。
【００３４】
その他の構成および作用効果は、第１の参考例におけると同様なので説明を省略する。
【００３５】
第２の参考例
図７には、本願発明の第２の参考例にかかる空気調和機用室外機が示されている。
【００３６】
この場合、側面側熱交換器３は、ケーシング１の４面１ａ，１ｂ，１ｃ，１ｄに形成された空気吸込口６，６，６，６のうち長辺１ａ，１ｃに形成された空気吸込口６，６の半分と、短辺１ｂ，１ｄに形成された空気吸込口６，６の全部とにそれぞれ対向する一対の横断面コ字形状の熱交換器３ｂ，３ｂにより構成されている。この熱交換器３ｂは、例えば、上下方向のフィンを有するクロスフィンコイルタイプの熱交換器を横断面コ字形状に屈曲させて製造されることとなっている。なお、熱交換器３ｂは、クロスフィンコイルタイプ以外のものとすることもできる。一方、底面側熱交換器５は、クロスフィンコイルタイプの平板型熱交換器とされているが、クロスフィンコイルタイプ以外のものとすることもできる。また、ドレンパンのドレン溜め底面の形状は、第１の参考例における３種類のいずれを採用してもよい。
【００３７】
また、側面側熱交換器３を、４枚の平板形状の熱交換器により構成することも可能である。
【００３８】
本参考例においては、２個のファンを使用しているが、１個のファンとすることもできる。
【００３９】
その他の構成および作用効果は、第１の参考例におけると同様なので説明を省略する。
【００４０】
第２の実施の形態
図８には、本願発明の第２の実施の形態にかかる空気調和機用室外機が示されている。
【００４１】
この場合、側面側熱交換器３は、ケーシング１の４面１ａ，１ｂ，１ｃ，１ｄに形成された空気吸込口６，６，６，６のうち長辺１ａ，１ｃに形成された空気吸込口６，６の半分と、短辺１ｂ，１ｄに形成された空気吸込口６，６の全部とにそれぞれ対向する一対の横断面コ字形状の熱交換器３ｂ，３ｂにより構成されている。この熱交換器３ｂは、例えば、上下方向のフィンを有するクロスフィンコイルタイプの熱交換器を横断面コ字形状に屈曲させて製造されることとなっている。なお、熱交換器３ｂは、クロスフィンコイルタイプ以外のものとすることもできる。一方、底面側熱交換器５は、断面ヘ字状に屈曲されたクロスフィンコイルタイプの熱交換器により構成されており、第１の実施の形態におけると同様に、屈曲部が上向きとなるように配置されている。この底面側熱交換器５におけるフィンは、ヘ字形状とされている。底面側熱交換器５を、その屈曲部５ａが下向きとなるように配置する場合もある。また、ドレンパンのドレン溜め底面の形状は、第１の実施の形態における３種類のいずれを採用してもよい。
【００４２】
また、側面側熱交換器３を、４枚の平板形状の熱交換器により構成することも可能である。
【００４３】
本実施の形態においては、２個のファンを使用しているが、１個のファンとすることもできる。
【００４４】
その他の構成および作用効果は、第１の参考例および第１の実施の形態におけると同様なので説明を省略する。
【００４５】
第３の実施の形態
図９には、本願発明の第３の実施の形態にかかる空気調和機用室外機が示されている。
【００４６】
この場合、側面側熱交換器３は、ケーシング１の４面１ａ，１ｂ，１ｃ，１ｄに形成された空気吸込口６，６，６，６に対向する略矩形環状の熱交換器により構成されており、側面側熱交換器３への配管接続部Ｑは、ケーシング１における４面１ａ，１ｂ，１ｃ，１ｄのうちの隣り合う２面１ｂ，１ｃのコーナー部とされている。このようにすると、側面側熱交換器３を１個の熱交換器で構成できることとなり、配管接続部Ｑも１カ所でよくなるとともに、部品点数を削減できる。この側面側熱交換器３は、上下方向のフィンを有するクロスフィンコイルタイプの熱交換器を略矩形環状に屈曲させて製造されることとなっている。なお、側面側熱交換器３は、クロスフィンコイルタイプ以外のものとすることもできる。一方、底面側熱交換器５は、クロスフィンコイルタイプの平板型熱交換器とされているが、断面ヘ字状に屈曲されたクロスフィンコイルタイプの熱交換器により構成し、第１の実施の形態におけると同様に、屈曲部が上向きとなるように配置するようにしてもよい。なお、底面側熱交換器５は、クロスフィンコイルタイプ以外のものとすることもできる。また、ドレンパンのドレン溜め底面の形状は、第１の実施の形態における３種類のいずれを採用してもよい。
【００４７】
また、側面側熱交換器３を、４枚の平板形状の熱交換器により構成することも可能である。
【００４８】
本実施の形態においては、２個のファンを使用しているが、１個のファンとすることもできる。
【００４９】
その他の構成および作用効果は、第１の実施の形態におけると同様なので説明を省略する。
【００５０】
第４の実施の形態
図１０には、本願発明の第４の実施の形態にかかる空気調和機用室外機が示されている。
【００５１】
この場合、側面側熱交換器３は、ケーシング１の４面１ａ，１ｂ，１ｃ，１ｄに形成された空気吸込口６，６，６，６に対向する略矩形環状の熱交換器により構成されており、側面側熱交換器３への配管接続部Ｑは、ケーシング１における４面１ａ，１ｂ，１ｃ，１ｄのうちの隣り合う長辺側１面１ｃの中央部とされている。このようにすると、側面側熱交換器３を１個の熱交換器で構成できることとなり、配管接続部Ｑも１カ所でよくなるとともに、部品点数を削減できる。この側面側熱交換器３は、上下方向のフィンを有するクロスフィンコイルタイプの熱交換器を略矩形環状に屈曲させて製造されることとなっている。なお、側面側熱交換器３は、クロスフィンコイルタイプ以外のものとすることもできる。一方、底面側熱交換器５は、クロスフィンコイルタイプの平板型熱交換器とされているが、断面ヘ字状に屈曲されたクロスフィンコイルタイプの熱交換器により構成し、第１の実施の形態におけると同様に、屈曲部が上向きとなるように配置するようにしてもよい。なお、底面側熱交換器５は、クロスフィンコイルタイプ以外のものとすることもできる。また、ドレンパンのドレン溜め底面の形状は、第１の実施の形態における３種類のいずれを採用してもよい。
【００５２】
また、側面側熱交換器３を、４枚の平板形状の熱交換器により構成することも可能である。
【００５３】
本実施の形態においては、２個のファンを使用しているが、１個のファンとすることもできる。
【００５４】
その他の構成および作用効果は、第１の参考例および第１の実施の形態におけると同様なので説明を省略する。
【００５５】
第５の実施の形態
図１１には、本願発明の第５の実施の形態にかかる空気調和機用室外機が示されている。
【００５６】
この場合、熱交換室７の一角（即ち、ケーシング１の４面１ａ，１ｂ，１ｃ，１ｄのうちの隣り合う２面１ａ，１ｂのコーナー部に仕切部材１６で区画された機械室９を設け、該機械室９内に圧縮機１０等を配設するようにしている。このようにすると、機械室９をケーシング１の下部に設ける必要がなくなり、室外機の高さ寸法を大幅に低減できる。また、側面側熱交換器３は、ケーシング１における４面１ａ，１ｂ，１ｃ，１ｄに形成された４個の空気吸込口６，６，６，６のうちの２個ずつ（即ち、２面１ａ，１ｄに形成された空気吸込口６，６および２面１ｂ，１ｃに形成された空気吸込口６，６）にそれぞれ対向する一対の横断面Ｌ字形状の熱交換器３ａ，３ａにより構成されている。この熱交換器３ａは、例えば、上下方向のフィンを有するクロスフィンコイルタイプの熱交換器を横断面Ｌ字形状に屈曲させて製造されることとなっている。なお、熱交換器３ａは、クロスフィンコイルタイプ以外のものとすることもできる。一方、底面側熱交換器５は、クロスフィンコイルタイプの平板型熱交換器とされているが、断面ヘ字状に屈曲されたクロスフィンコイルタイプの熱交換器により構成し、第１の実施の形態におけるように、屈曲部が上向きとなるように配置するようにしてもよい。なお、底面側熱交換器５は、クロスフィンコイルタイプ以外のものとすることもできる。また、ドレンパンのドレン溜め底面の形状は、第１の参考例における３種類のいずれを採用してもよい。
【００５７】
また、側面側熱交換器３を、４枚の平板形状の熱交換器により構成することも可能である。
【００５８】
本実施の形態においては、２個のファンを使用しているが、１個のファンとすることもできる。
【００５９】
その他の構成および作用効果は、第１の参考例におけると同様なので説明を省略する。
【００６０】
第６の実施の形態
図１２には、本願発明の第６の実施の形態にかかる空気調和機用室外機が示されている。
【００６１】
この場合、１個のファン２が使用されており、側面側熱交換器３は、ケーシング１の４面１ａ，１ｂ，１ｃ，１ｄに形成された空気吸込口６，６，６，６に対向する略矩形環状の熱交換器により構成されている。該側面側熱交換器３への配管接続部Ｑは、ケーシング１における４面１ａ，１ｂ，１ｃ，１ｄのうちの隣り合う２面１ｂ，１ｃのコーナー部とされている。このようにすると、側面側熱交換器３を１個の熱交換器で構成できることとなり、配管接続部Ｑも１カ所でよくなるとともに、部品点数を削減できる。この側面側熱交換器３は、上下方向のフィンを有するクロスフィンコイルタイプの熱交換器を略矩形環状に屈曲させて製造されることとなっている。なお、側面側熱交換器３は、クロスフィンコイルタイプ以外のものとすることもできる。一方、底面側熱交換器５は、クロスフィンコイルタイプの平板型熱交換器とされているが、断面ヘ字状に屈曲されたクロスフィンコイルタイプの熱交換器により構成し、第１の実施の形態におけると同様に、屈曲部が上向きとなるように配置するようにしてもよい。なお、底面側熱交換器５は、クロスフィンコイルタイプ以外のものとすることもできる。また、ドレンパンのドレン溜め底面の形状は、第１の参考例における３種類のいずれを採用してもよい。
【００６２】
本実施の形態においては、側面側熱交換器３を略矩形環状の熱交換器により構成しているが、一対の横断面Ｌ字形状の熱交換器あるいは一対の横断面コ字形状の熱交換器もしくは４枚の平板形状の熱交換器により構成することもできる。
【００６３】
その他の構成および作用効果は、第１の参考例におけると同様なので説明を省略する。
【００６４】
第７の実施の形態
図１３には、本願発明の第７の実施の形態にかかる空気調和機用室外機が示されている。
【００６５】
この場合、ケーシング１は円筒形状とされており、その側面全周が空気吸込口６とされている。また、１個のファン２が使用されており、側面側熱交換器３は、ケーシング１の側面全周に形成された空気吸込口６に対向する略円環状の熱交換器により構成されている。該側面側熱交換器３への配管接続部Ｑは、略円環状の側面側熱交換器３の端部が対向している部位とされている。このようにすると、側面側熱交換器３を１個の熱交換器で構成できることとなり、配管接続部Ｑも１カ所でよくなるとともに、部品点数を削減できる。この側面側熱交換器３は、上下方向のフィンを有するクロスフィンコイルタイプの熱交換器を略円環形状に湾曲させて製造されることとなっている。なお、側面側熱交換器３は、クロスフィンコイルタイプ以外のものとすることもできる。一方、底面側熱交換器５は、クロスフィンコイルタイプの平板型熱交換器とされているが、断面ヘ字状に屈曲されたクロスフィンコイルタイプの熱交換器により構成し、第１の実施の形態におけると同様に、屈曲部が上向きとなるように配置するようにしてもよい。なお、底面側熱交換器５は、クロスフィンコイルタイプ以外のものとすることもできる。また、ドレンパンのドレン溜め底面の形状は、第１の参考例における３種類のいずれを採用してもよい。
【００６６】
本実施の形態においては、側面側熱交換器３を略円環形状の熱交換器により構成しているが、複数に分割された円弧形状の熱交換器により構成することもできる。
【００６７】
その他の構成および作用効果は、第１の参考例におけると同様なので説明を省略する。
【００６８】
上記各参考例および各実施の形態においては、圧縮機を備えた室外機について説明したが、本願発明は、圧縮機を備えていない（換言すれば、室内側に圧縮機を備えている）リモートコンデンサタイプの室外機にも適用可能である。
【発明の効果】
【００６９】
請求項１の発明によれば、側面全周を空気吸込口６としたケーシング１と、該ケーシング１内の最上部に配設された上吹きタイプのファン２と、前記空気吸込口６に対向して配設された側面側熱交換器３とを備えた空気調和機用室外機において、前記側面側熱交換器３によって囲まれた空間部４の底部に、屈曲部５ａが上向きとなるように断面へ字状に屈曲された熱交換器により構成された底面側熱交換器５を配設するとともに、前記ケーシング１の側面下部に、前記底面側熱交換器５の下面に向かって空気を導入するための空気導入口８，８・・を形成して、ファン２の駆動によりケーシング１の側面全周に形成された空気吸込口６およびケーシング１の側面下部に形成された空気導入口８，８・・から吸い込まれた空気が側面側熱交換器３および底面側熱交換器５を通過するようにしたので、底面側熱交換器５を追加配設したことにより、室外機の外形寸法を拡大させることなく、熱交換面積を増大させることができ、室外機のコンパクト性を保った上で室外機の省エネ性を向上させることが可能となるという効果がある。しかも、底面側熱交換器５からの空気の流入により、側面側熱交換器３の上部（即ち、ファン２に近い領域）での通過風速が低減されることとなり、側面側熱交換器３を通過する空気の風速分布が均一化され、熱交換能力が高まり、室外機の省エネ性が向上することとなるという効果もある。また、複数の能力（即ち、馬力数）の室外機を同一のケーシングとする場合、底面側熱交換器５の有無により、能力を変化させることが容易となり（即ち、低能力機：底面側熱交換器なし、高能力機：底面側熱交換器有り）部品の共通化によるコストダウンを図ることができるという効果もある。また、また、底面側熱交換器５を、屈曲部５ａが上向きとなるように断面へ字状に屈曲された熱交換器により構成しているので、底面側熱交換器５におけるドレン処理がスムーズに行え、ドレンの滞留に起因して生じる熱交換器の性能劣化を抑制できるとともに、底面側熱交換器５における屈曲部５ａを側面側熱交換器３に囲まれた空間部４の中央部に位置させることができ、室外機の高さ方向寸法を抑えることができるという効果もある。
【００７０】
請求項２の発明におけるように、請求項１記載の空気調和機用室外機において、前記ケーシング１の下部に、圧縮機１０等を配設する機械室９を構成するとともに、該機械室９の上面を、前記側面側熱交換器３および底面側熱交換器５からのドレンを受け止めるドレンパン１１とした場合、室外機の幅方向寸法を小さく抑えることができるとともに、機械室９の上面（即ち、仕切板９ａ）をドレンパン１１に兼用できることとなり、室外機のさらなるコンパクト性の確保と部品点数の低減とを図ることができる。
【００７１】
請求項３の発明におけるように、請求項１および２のいずれか一項記載の空気調和機用室外機において、前記側面側熱交換器３を、２個以上に分割された熱交換器により構成した場合、大型の室外機に適用する際に、２個以上に分割された小型の熱交換器で側面側熱交換器３を構成することができることとなり、熱交換器の製造が容易となる。
【図面の簡単な説明】
【図１】  本願発明の第１の参考例にかかる空気調和機用室外機の横断平面図である。
【図２】  図１のＩＩ−ＩＩ断面図である。
【図３】  本願発明の第１の参考例にかかる空気調和機用室外機の変形例を示す縦断面図（図２相当図）である。
【図４】  本願発明の第１の参考例にかかる空気調和機用室外機の他の変形例を示す縦断面図（図２相当図）である。
【図５】  本願発明の第１の実施の形態にかかる空気調和機用室外機の横断平面図である。
【図６】  図５のＶＩ−ＶＩ断面図である。
【図７】  本願発明の第２の参考例にかかる空気調和機用室外機の横断平面図である。
【図８】  本願発明の第２の実施の形態にかかる空気調和機用室外機の横断平面図である。
【図９】  本願発明の第３の実施の形態にかかる空気調和機用室外機の横断平面図である。
【図１０】  本願発明の第４の実施の形態にかかる空気調和機用室外機の横断平面図である。
【図１１】  本願発明の第５の実施の形態にかかる空気調和機用室外機の横断平面図である。
【図１２】  本願発明の第６の実施の形態にかかる空気調和機用室外機の横断平面図である。
【図１３】  本願発明の第７の実施の形態にかかる空気調和機用室外機の横断平面図である。
【符号の説明】
１はケーシング、２はファン、３は側面側熱交換器、３ａ，３ｂは熱交換器、４は空間部、５は底面側熱交換器、５ａは屈曲部、６は空気吸込口、８は空気導入口、９は機械室、９ａは仕切板、１０は圧縮機。
【図１】
0003846325.tif 000002
【図２】
0003846325.tif 000003
【図３】
0003846325.tif 000004
【図４】
0003846325.tif 000005
【図５】
0003846325.tif 000006
【図６】
0003846325.tif 000007
【図７】
0003846325.tif 000008
【図８】
0003846325.tif 000009
【図９】
0003846325.tif 000010
【図１０】
0003846325.tif 000011
【図１１】
0003846325.tif 000012
【図１２】
0003846325.tif 000013
【図１３】
0003846325.tif 000014